(57)【特許請求の範囲】
【請求項１】
カートリッジ収納媒体と、該カートリッジ収納媒体よりも大きくカートリッジに収納されていない露出媒体に対して共通の挿排機構を有するディスク装置において、
板形状をなし中央部より両端方向へその厚さが増す勾配を有し、該中央部より前記記録媒体の挿排方向に対し直角方向において該記録媒体の外周部が共に当接可能な当接面が形成された固定側ガイドと、
軸の両端が回動自在に軸支され該軸の中央部の円周上に開口断面が前記カートリッジ収納媒体の挿入方向の幅および厚みに対応して形成されたガイド溝と、
該ガイド溝の開口部より両端方向へ増径するテーパーが設けられたゴムローラ部が形成された駆動側ガイドローラと、
前記駆動側ガイドローラを回転させる駆動手段と、
前記ゴムローラ部の両端を前記当接面の両端へ弾性的に圧接させる付勢手段とからなることを特徴とするディスク挿排機構。
【請求項２】
カートリッジ収納媒体と、該カートリッジ収納媒体よりも大きくカートリッジに収納されていない露出媒体に対して共通の挿排機構を有するディスク装置において、
軸の両端が回動自在に軸支され該軸の中央部より両端方向へ増径するテーパーが設けられたゴムローラ部が形成された固定側ローラと、
軸の両端が回動自在に軸支され該軸の中央部の円周上に開口断面が前記カートリッジ収納媒体の挿入方向の幅および厚みに対応して形成されたガイド溝と、
該ガイド溝の開口部より両端方向へ増径するテーパーが設けられたゴムローラ部が形成された駆動側ガイドローラと、
前記駆動側ガイドローラを回転させる駆動手段と、
前記駆動側ガイドローラの両端を前記固定側ローラの両端へ弾性的に圧接させる付勢手段とからなることを特徴とするディスク挿排機構。
【請求項３】
カートリッジ収納媒体と、該カートリッジ収納媒体よりも大きくカートリッジに収納されていない露出媒体に対して共通の挿排機構を有するディスク装置において、
軸の両端が回動自在に軸支され該軸の中央部の円周上に開口断面が前記カートリッジ収納媒体の挿入方向の幅および厚みに対応して形成されたガイド溝と、
該ガイド溝の開口部より両端方向へ増径するテーパーが設けられたゴムローラ部が形成された固定側ガイドローラと、
軸の両端が回動自在に軸支され該軸の中央部の円周上に開口断面が前記カートリッジ収納媒体の挿入方向の幅および厚みに対応して形成されたガイド溝と、
該ガイド溝の開口部より両端方向へ増径するテーパーが設けられたゴムローラ部が形成された駆動側ガイドローラと、
前記駆動側ガイドローラを回転させる駆動手段と、
前記駆動側ガイドローラの両端を前記固定側ガイドローラの両端へ弾性的に圧接させる付勢手段とからなることを特徴とするディスク挿排機構。
【発明の詳細な説明】
【０００１】
【発明の属する技術分野】
本発明は、カートリッジ収納媒体と、カートリッジに収納されていない露出媒体に対して共通の挿排機構を備えたディスク装置の挿排機構部に関する。
【０００２】
【従来の技術】
従来のディスク装置は、種類の異なる複数の記録媒体、例えば、カートリッジ収納媒体（例えば、ミニディスク以下ＭＤという）と、カートリッジに収納されていない露出媒体（例えば、コンパクトディスク以下ＣＤという）に対してはそれぞれ異なる処理部を必要とし、例えば、種類の異なるＭＤとＣＤの処理部が内蔵された一体型のディスク装置等がある。尚、本例では特に本発明と関連のあるディスクの挿排機構部の概略構成について図９および図１０を用いて説明する。
【０００３】
先ず最初に図９を用いてＭＤ挿排機構について説明する。図９は従来のディスク装置のＭＤ挿排機構部の概略構成図で、（ａ）は正面図、（ｂ）は平面図である。
１５０はＭＤ１００の挿排機構部の要部で、押圧側回転ローラ１６０、１７０（押圧側回転ローラ１６０と左右反対勝手となっているので説明を省略）および固定側ガイドローラ１８０等により構成されている。押圧側回転ローラ１６０はゴムローラ１６１，歯車１６２，ゴムローラ軸１６３，ゴムローラホルダ１６４および回動支点軸１６５等により構成されている。ゴムローラ１６１と歯車１６２はゴムローラ軸１６３に固定されており、ゴムローラホルダ１６４に回転自在に保持されている。また、ゴムローラホルダ１６４は回動支点軸１６５により回動自在に保持されており、ＭＤ１００を搬送する際には押圧側回転ローラ１６０が固定側ガイドローラ１８０方向へ回動し、ゴムローラ１６１とガイドローラ１８１とでＭＤ１００を鋏み付けた状態でゴムローラ１６１が回転してＭＤ１００を所定の方向へ搬送する。尚、ゴムローラ軸１６３に固定された歯車１６２は、駆動モータに接続し回転力を伝達する伝達機構部（図示省略）に歯合しているので、その回転方向を切り替えることによりＭＤ１００を挿排することができる。
【０００４】
固定側ガイドローラ１８０はガイドローラ１８１とガイドローラ軸１８２等により構成されている。ガイドローラ１８１はガイドローラ軸１８２により上板１８５と下板１８６の間に回転自在に保持されている。ＭＤ１００を搬送する際にはゴムローラ１６１とガイドローラ１８１とでＭＤ１００を鋏み付けた状態で、ゴムローラ１６１の回転に従転しＭＤ１００を所定の方向へ搬送する。
【０００５】
次に図１０を用いてＣＤ挿排機構について説明する。図１０は従来のディスク装置のＣＤ挿排機構部の概略構成を示す正面図である。
２００はＣＤ１１０の挿排機構部の要部で、固定側ローラ２１０、駆動側ローラ２２０および駆動側ローラ２２０を回転させる回転機構部（図示省略）等により構成されている。
【０００６】
固定側ローラ２１０は、駆動側ローラ２２０とでＣＤ１１０を鋏み付けた状態で駆動側ローラ２２０の回転に従動して回転し、所定の位置へ搬送するものである。固定側ローラ２１０は回転軸２１１と、回転軸２１１の外周に形成されたゴムローラ部２１２等により構成されている。ゴムローラ部２１２は中央部よりそれぞれ外側方向へ向けて増径するようにテーパー部２１３が形成され、ＣＤ１１０の外周部が当接するようになっている。尚、回転軸２１１の両端は軸受けにより保持されている。
【０００７】
駆動側ローラ２２０は、固定側ローラ２１０とでＣＤ１１０を鋏み付けた状態で回転し所定の位置へ搬送するものである。駆動側ローラ２２０は回転軸２２１と、回転軸２２１の外周に形成されたゴムローラ部２２２等により構成されている。ゴムローラ部２２２は中央部より両端方向へ向けて増径するようにテーパー部２２３が形成されている。また、回転軸２２１の両端は軸受けにより保持されており、一方の端には駆動側ローラ２２０を回転させる駆動力伝達機構部に接続する歯車２２４が固定されている。尚、駆動側ローラ２２０は、固定側ローラ２１０方向へ付勢するように、ばね部材（例えば、ねじりばね又は引張コイルばね等、いずれも図示省略）により弾性保持されている。また、駆動側ローラ２２０の回転軸２２１に固定された歯車２２４は、駆動モータに接続し回転力を伝達する伝達機構部に歯合しているので、その回転方向を切り替えることによりＣＤ１１０を挿排することができる。
【０００８】
【発明が解決しようとする課題】
しかし、上述のＭＤ１００およびＣＤ１１０専用のディスク装置では、処理部がＭＤ１００用とＣＤ１１０用とに分かれており、それぞれに専用の挿排機構が構成されている。また、ＭＤとＣＤの処理部が内蔵された一体型のディスク装置においても、ＭＤとＣＤ専用のディスク装置と同じようにそれぞれに専用の処理部および挿排機構を持っており、ただ一体構造に構成されているのみで、スペース的にもまた処理機能的にも重複する部分があり小型化および低コスト化が課題となっている。
【０００９】
本発明は上述の問題を解決するもので、種類の異なる複数の記録媒体に対して共通の挿排機構を備えたディスク装置の低コスト化および省スペース化の一助となる挿排機構部の提供を目的とする。
【００１２】
【課題を解決するための手段】
また、カートリッジ収納媒体と、該カートリッジ収納媒体よりも大きくカートリッジに収納されていない露出媒体に対して共通の挿排機構を有するディスク装置において、板形状をなし中央部より両端方向へその厚さが増す勾配を有し、該中央部より前記記録媒体の挿排方向に対し直角方向において該録媒体の外周部が共に当接可能な当接面が形成された固定側ガイドと、軸の両端が回動自在に軸支され該軸の中央部の円周上に開口断面が前記カートリッジ収納媒体の挿入方向の幅および厚みに対応して形成されたガイド溝と、該ガイド溝の開口部より両端方向へ増径するテーパーが設けられたゴムローラ部が形成された駆動側ガイドローラと、前記駆動側ガイドローラを回転させる駆動手段と、前記ゴムローラ部の両端を前記当接面の両端へ弾性的に圧接させる付勢手段とからなることを特徴とするものである。
【００１３】
また、カートリッジ収納媒体と、該カートリッジ収納媒体よりも大きくカートリッジに収納されていない露出媒体に対して共通の挿排機構を有するディスク装置において、軸の両端が回動自在に軸支され該軸の中央部より両端方向へ増径するテーパーが設けられたゴムローラ部が形成された固定側ローラと、軸の両端が回動自在に軸支され該軸の中央部の円周上に開口断面が前記カートリッジ収納媒体の挿入方向の幅および厚みに対応して形成されたガイド溝と、該ガイド溝の開口部より両端方向へ増径するテーパーが設けられたゴムローラ部が形成された駆動側ガイドローラと、前記駆動側ガイドローラを回転させる駆動手段と、前記駆動側ガイドローラの両端を前記固定側ローラの両端へ弾性的に圧接させる付勢手段とからなることを特徴とするものである。
【００１４】
また、カートリッジ収納媒体と、該カートリッジ収納媒体よりも大きくカートリッジに収納されていない露出媒体に対して共通の挿排機構を有するディスク装置において、軸の両端が回動自在に軸支され該軸の中央部の円周上に開口断面が前記カートリッジ収納媒体の挿入方向の幅および厚みに対応して形成されたガイド溝と、該ガイド溝の開口部より両端方向へ増径するテーパーが設けられたゴムローラ部が形成された固定側ガイドローラと、軸の両端が回動自在に軸支され該軸の中央部の円周上に開口断面が前記カートリッジ収納媒体の挿入方向の幅および厚みに対応して形成されたガイド溝と、該ガイド溝の開口部より両端方向へ増径するテーパーが設けられたゴムローラ部が形成された駆動側ガイドローラと、前記駆動側ガイドローラを回転させる駆動手段と、前記駆動側ガイドローラの両端を前記固定側ガイドローラの両端へ弾性的に圧接させる付勢手段とからなることを特徴とするものである。
【００１６】
【実施例】
本発明の第１実施例を図１および図２を用いて説明する。
図１は第１実施例のディスク挿排機構部の概略構成図で、（ａ）はディスク挿排機構部の位置関係の側面図、（ｂ）は正面図、（ｃ）は側面図である。図２は第１実施例のディスク挿排機構部によるディスク搬送状態の概略図で、（ａ）はＭＤ搬送状態の正面図、（ｂ）はＣＤ搬送状態の正面図である。
【００１７】
１０はＭＤとＣＤとの両方の処理を共通に行う共通処理部を備えたディスク装置の挿排機構部の要部で、固定側ガイド２０、駆動側ローラ２５および駆動側ローラ２５を回転させる回転機構部（図示省略）等により構成されている。
固定側ガイド２０は、駆動側ローラ２５とでＭＤ１５またはＣＤ１６を鋏み付けて挿入または排出する搬送部のガイド部である。固定側ガイド２０は方形の板形状をしており略中央部にはＭＤ１５のガイド溝２１が形成されている。ガイド溝２１の溝幅ＷはＭＤ１５の挿入方向の幅よりやや広め（７２mm以上）に、またガイド溝２１の深さＨはＭＤ１５の厚みよりやや浅め（５mm以下）に形成されている。また、ガイド溝２１の開口部より図示左右両側面方向（ガイド溝２１に対し直角方向）へ厚みが増えるように勾配が設けられ、ＣＤ１６の外周部が当接する当接面２２が形成されている。
【００１８】
駆動側ローラ２５は、固定側ガイド２０とでＭＤ１５またはＣＤ１６を鋏み付けた状態で回転し所定の位置へ搬送するものである。駆動側ローラ２５は回転軸２６と、回転軸２６の外周に形成されたゴムローラ部２７等により構成されている。ゴムローラ部２７は中央部より両端方向へ向けて増径するようにテーパー部２９が形成されている。また、回転軸２６の両端は軸受け（図示省略）により保持されており、一方の端には駆動側ローラ２５を回転させる駆動力伝達機構部に接続する歯車２８が固定されている。尚、駆動側ローラ２５は、固定側ガイド２０の当接面２２方向へ付勢するように、ばね部材（例えば、ねじりばね又は引張コイルばね等いずれも図示省略）により弾性保持されている。また、駆動側ローラ２５の回転軸２６に固定された歯車２８は、駆動モータに接続し回転力を伝達する伝達機構部（図示省略）に歯合しているので、その回転方向を切り替えることによりＭＤ１５およびＣＤ１６を挿排することができる。
【００１９】
次に、ＭＤおよびＣＤの挿排について説明する。
先ずＭＤ１５の挿排について説明する。ＭＤ１５を挿入するには、先ずＭＤ１５の挿入方向を確認し、図２の（ａ）に示すように固定側ガイド２０のガイド溝２１に合わせて挿入する。ＭＤ１５を挿入すると挿入検知センサ（図示省略）が検知し駆動モータが回転する。駆動モータが回転すると駆動モータに接続し回転力を伝達する伝達機構部に、駆動側ローラ２５の回転軸２６に固定された歯車２８が歯合しているので駆動側ローラ２５が回転する。駆動側ローラ２５が回転すると固定側ガイド２０と駆動側ローラ２５のテーパー部２９の外周で圧接されたＭＤ１５は所定の再生（演奏）位置へ搬送される。また、ＭＤ１５を搬出するには、エジェクト釦（図示省略）を押すと、駆動モータが挿入時と逆方向へ回転し駆動側ローラ２５が逆方向へ回転するので、ＭＤ１５は挿入時と逆方向へ搬送され搬出される。
【００２０】
次に、ＣＤ１６の挿排について説明する。ＣＤ１６を挿入するには、先ずＣＤ１６の記録面の方向を確認し、図２の（ｂ）に示すように固定側ガイド２０の当接面２２と駆動側ローラ２５のテーパー部２９との間に挿入する。ＣＤ１６を挿入すると、以下ＭＤ１５の挿排動作と同じ動作によりＣＤ１６の挿排が行われる。
【００２１】
以上説明したように本実施例によれば、固定側ガイド２０にＭＤ１５のガイド溝２１を形成することにより、ＭＤ１５の挿入位置が確定されるので所定の位置から外れた位置での誤挿入を防止することができる。従って、ＭＤ１５とＣＤ１６の両方の処理を共通に行う共通処理部を備えたディスク装置に適した挿排機構部となり誤挿入による機器の故障を防止することができる。
【００２２】
次に、本発明の第２実施例を図３を用いて説明する。
図３は本発明の第２実施例のディスク挿排機構部の概略構成を示す正面図である。尚、第２実施例は第１実施例の一部を変更したもので、その他については第１実施例と略同じであるので、同じ構成については同じ符号を付し説明を省略する。
【００２３】
３０はストッパで、駆動側ローラ２５が固定側ガイド２０から離れる方向の距離を規制するものである。即ち、ストッパ３０は固定側ガイド２０の当接面２２と駆動側ローラ２５のゴムローラ部２７の外周部との最大開口寸法をＭＤ１５の厚み以下で、ＣＤ１６の厚みよりやや厚めの寸法Ｊになるように、駆動側ローラ２５の回転軸２６の図示下方に設ける。
【００２４】
以上説明したように本実施例においても、第１実施例と同じようにＭＤ１５の挿入位置がガイド溝２１により確定されるので、所定の位置から外れた位置での誤挿入を防止することができる。その他に、万一固定側ガイド２０のガイド溝２１以外の所へＭＤ１５を挿入しようとしても、ストッパ３０により固定側ガイド２０の当接面２２と駆動側ローラ２５のゴムローラ部２７との開口寸法をＭＤ１５の厚み以下に設定することにより、ＭＤ１５の挿入が阻止されるので機器の故障を防止することができる。
【００２５】
次に、本発明の第３実施例を図４を用いて説明する。
図４は  本発明の第１実施例のディスク挿排機構部の概略構成図で、（ａ）は正面図、（ｂ）は平面図、（ｃ）は板ばねの正面拡大図である。尚、第３実施例は第１実施例の一部を変更したもので、その他については第１実施例と略同じであるので、同じ構成については同じ符号を付し説明を省略する。
【００２６】
８０は固定側ガイドで、駆動側ローラ２５とでＭＤ１５またはＣＤ１６を鋏み付けて挿入または排出する搬送部のガイド部である。固定側ガイド８０は方形の板形状をしており、略中央部にはＭＤ１５のガイド溝８１が形成されている。ガイド溝８１の溝幅ＷはＭＤ１５の挿入方向の幅よりやや広い寸法（７２mm以上）に、また、ガイド溝８１の深さＨはＭＤ１５の厚みよりやや浅い寸法（５mm以下）に形成されている。また、ガイド溝８１の開口部より図示左右両側面方向（ガイド溝８１に対し直角方向）へ厚みが増えるように勾配が設けらており、ＣＤ１６の外周部が当接する当接面８２が形成されている。さらに、ガイド溝８１の側面（図示右側）の途中にはＭＤ１５のシャッターを開閉する板ばね８３を固定するためのねじ孔等が形成されている。
【００２７】
板ばね（シャッター開閉手段に相当）８３は細い短冊の一方の端がＵ字形状に形成されたシャッター開閉部８４と、他方の端部には固定側ガイド８０に固定するための孔等が形成されている。
次に、ＭＤの挿排について説明する。
先ずＭＤ１５を挿入するには、先ずＭＤ１５の挿入方向を確認し、図２の（ａ）に示すように固定側ガイド８０のガイド溝８１に合わせて挿入する。ＭＤ１５を挿入すると挿入検知センサが検知し駆動モータが回転する。駆動モータが回転すると駆動モータに接続し回転力を伝達する伝達機構部に、駆動側ローラ２５の回転軸２６に固定された歯車２８が歯合しているので、駆動側ローラ２５が回転する。そして、駆動側ローラ２５が回転すると固定側ガイド８０と駆動側ローラ２５の外周で圧接されたＭＤ１５は所定の位置へ搬送される。また、ＭＤ１５を搬出するには、エジェクト釦を押すと、駆動モータが挿入時と逆方向へ回転し駆動側ローラ２５が逆方向へ回転するので、ＭＤ１５は挿入時と逆方向へ搬送され搬出される。
【００２８】
尚、ＭＤ１５が挿入方向へ搬送される際に、固定側ガイド８０のガイド溝８１の側面の途中に固定された板ばね８３のシャッター開閉部８４が、ＭＤ１５のシャッターに当接するので、シャッターが開放された状態で所定の再生位置へ搬送される。また、ＭＤ１５を搬出する際にはＭＤ１５が挿入時と逆方向へ搬送されるので、固定側ガイド８０のガイド溝８１に固定された板ばね８３のシャッター開閉部８４が、ＭＤ１５のシャッターに当接するので、シャッターが元の位置へ閉められた状態で搬出される。
【００２９】
以上説明したように本実施例によれば、第１実施例と同じように固定側ガイド８０にＭＤ１５の挿入ガイド溝８１を形成することにより、ＭＤ１５の挿入位置が確定されるので、所定の位置から外れた位置での誤挿入を防止することができる。従って、ＭＤ１５とＣＤ１６の両方の処理を共通に行う共通処理部を備えたディスク装置に適した挿排機構部となり、誤挿入による機器の故障を防止することができる。その他に、板ばね８３を固定側ガイド８０のガイド溝８１の側面の途中にに設けた簡単な構成により、ＭＤ１５の挿排時の搬送途中で、ＭＤ１５のシャッターの開閉が自動的に行われるのでコスト低減が図れる。
【００３０】
尚、本実施例ではＭＤ１５のシャッターの開閉に板ばね８３を用いたが、その他に例えば固定側ガイド８０の挿入ガイド溝８１の側面（板ばね８３のシャッター開閉部８４と同じ位置）より突出入可能に弾性保持された細いピン形状のものを、ＭＤ１５のシャッターに係止するように設けてもよい。
次に、本発明の第４実施例を図５を用いて説明する。
【００３１】
図５は本発明の第４実施例のディスク挿排機構部の概略構成を示す正面図である。尚、第４実施例は第１実施例の一部を変更したもので、その他については第１実施例と略同じであるので、同じ構成については同じ符号を付し説明を省略する。
３３は固定側ガイドで、駆動側ガイドローラ３５とでＭＤ１５またはＣＤ１６を鋏み付けて挿入または排出する搬送部のガイド部である。固定側ガイド３３は方形の板形状をしており、中央部より図示左右両側面方向（ＭＤ１５およびＣＤ１６の挿排方向に対し直角方向）へ厚みが増えるように勾配が設けられ、ＭＤ１５またはＣＤ１６の外周部が当接する当接面３４が形成されている。
【００３２】
駆動側ガイドローラ３５は、固定側ガイド３３とでＭＤ１５またはＣＤ１６を鋏み付けた状態で回転し所定の位置へ搬送するものである。駆動側ガイドローラ３５は回転軸３６と、回転軸３６の外周に形成されたゴムローラ部３７等により構成されている。ゴムローラ部３７の中央部には、ＭＤ１５の挿入方向の幅よりやや広めの寸法（７２mm以上）部Ｗが小径部３８となっており、小径部３８の両側の大径部３９には、それぞれ外側方向へ向けて増径するようにテーパーが設けられ、ＣＤ１６の外周部が当接するようになっている。尚、小径部３８と大径部３９との段差ｈは、ＭＤ１５の厚み寸法の半分よりやや小さめ（浅め）の寸法に形成されている。また、回転軸３６の両端は軸受けにより保持されており、一方の端には駆動側ガイドローラ３５を回転させる駆動力伝達機構部に接続する歯車２８が固定されている。尚、駆動側ガイドローラ３５は、固定側ガイド３３の当接面３４方向へ付勢するように弾性保持されている。また、駆動側ガイドローラ３３の回転軸３６に固定された歯車２８は、駆動モータに接続し回転力を伝達する伝達機構部に歯合しているので、その回転方向を切り替えることによりＭＤ１５およびＣＤ１６を挿排することができる。
【００３３】
以上説明したように本実施例においても、第１実施例と同じように固定側ガイド３３と駆動側ガイドローラ３５の小径部３８とで構成された空間部３２が、ＭＤ１５の挿入ガイド部となり、ＭＤ１５の挿入位置が確定されるので、所定の位置から外れた位置での誤挿入を防止することができる。また、ＣＤ１６は固定側ガイド３３の当接面３４と駆動側ガイドローラ３５の大径部３９とで搬送することがてきる。従って、ＭＤ１５とＣＤ１６の両方の処理を共通に行う共通処理部を備えたディスク装置に適した挿排機構部となり誤挿入による機器の故障を防止することができる。
【００３４】
次に、本発明の第５実施例を図６を用いて説明する。
図６は本発明の第５実施例のディスク挿排機構部の概略構成図で、（ａ）は正面図、（ｂ）は側面図である。尚、第５実施例は第１実施例と同じ構成部品については同じ符号を付し説明を省略する。
４０は固定側ローラで、駆動側ガイドローラ４５とでＭＤ１５またはＣＤ１６を鋏み付けた状態で駆動側ガイドローラ４５の回転に従動して回転し、所定の位置へ搬送するものである。固定側ローラ４０は回転軸４１と、回転軸４１の外周に形成されたゴムローラ部４２等により構成されている。ゴムローラ部４２は中央部よりそれぞれ外側方向へ向けて増径するようにテーパー部４３が形成され、ＭＤ１５またはＣＤ１６の外周部が当接するようになっている。尚、回転軸４１の両端は軸受け（図示省略）により保持されている。
【００３５】
駆動側ガイドローラ４５は、固定側ローラ４０とでＭＤ１５またはＣＤ１６を鋏み付けた状態で回転し所定の位置へ搬送するものである。駆動側ガイドローラ４５は回転軸４６と、回転軸４６の外周に形成されたゴムローラ部４７等により構成されている。ゴムローラ部４７の中央部には、ＭＤ１５の挿入方向の幅よりやや広めの寸法（７２mm以上）部Ｗが小径部４８となっており、小径部４８の両側の大径部４９は、それぞれ外側方向へ向けて増径するようにテーパーが設けられ、ＣＤ１６の外周部が当接するようになっている。尚、小径部４８と大径部４９との段差ｈはＭＤ１５の厚み寸法の半分よりやや小さめ（浅め）の寸法に形成されている。また、回転軸４６の両端は軸受けにより保持されており、一方の端には駆動側ガイドローラ４５を回転させる駆動力伝達機構部に接続する歯車２８が固定されている。尚、駆動側ガイドローラ４５は、固定側ローラ４０の方向へ付勢するように弾性保持されている。また、駆動側ガイドローラ４５の回転軸４６に固定された歯車２８は、駆動モータに接続し回転力を伝達する伝達機構部に歯合しているので、その回転方向を切り替えることによりＭＤ１５およびＣＤ１６を挿排することができる。
【００３６】
以上説明したように本実施例においても、第１実施例と同じように固定側ローラ４０と駆動側ガイドローラ４５の小径部４８とで構成された空間部４４が、ＭＤ１５の挿入ガイド部となり、ＭＤ１５の挿入位置が確定されるので、所定の位置から外れた位置での誤挿入を防止することができる。また、ＣＤ１６は固定側ローラ４０のゴムローラ部４２と駆動側ガイドローラ４５の大径部４９とで搬送することがてきる。従って、ＭＤ１５とＣＤ１６の両方の処理を共通に行う共通処理部を備えたディスク装置に適した挿排機構部となり誤挿入による機器の故障を防止することができる。
【００３７】
次に、本発明の第６実施例を図７を用いて説明する。
図７は本発明の第６実施例のディスク挿排機構部の概略構成を示す正面図である。尚、第６実施例は第１実施例と同じ構成部品については同じ符号を付し説明を省略する。
５０は固定側ガイドローラで、駆動側ガイドローラ５５とでＭＤ１５またはＣＤ１６を鋏み付けた状態で、駆動側ガイドローラ５５の回転に従動して回転し所定の位置へ搬送するものである。固定側ガイドローラ５０は回転軸５１と、回転軸５１の外周に形成されたゴムローラ部５２等により構成されている。ゴムローラ部５２の中央部には、ＭＤ１５の挿入方向の幅よりやや広めの寸法（７２mm以上）部Ｗが小径部５３となっており、小径部５３の両側の大径部５４には、それぞれ外側方向へ向けて増径するようにテーパーが設けられ、ＣＤ１６の外周部が当接するようになっている。尚、小径部５３と大径部５４との段差ｈはＭＤ１５の厚み寸法の半分よりやや小さめ（浅め）の寸法に形成されている。尚、回転軸５１の両端は軸受けにより保持されている。
【００３８】
５５は駆動側ガイドローラで、固定側ガイドローラ５０とでＭＤ１５またはＣＤ１６を鋏み付けた状態で回転し所定の位置へ搬送するものである。駆動側ガイドローラ５５は回転軸５６と、回転軸５６の外周に形成されたゴムローラ部５７等により構成されている。ゴムローラ部５７の中央部には、ＭＤ１５の挿入方向の幅よりやや広めの寸法（７２mm以上）部Ｗが小径部５８となっており、小径部５８の両側の大径部５９は、それぞれ外側方向へ向けて増径するようにテーパーが設けられ、ＣＤ１６の外周部が当接するようになっている。尚、小径部５８と大径部５９との段差ｈはＭＤ１５の厚み寸法の半分よりやや小さめ（浅め）の寸法に形成されている。また、回転軸５６の両端は軸受けにより保持されており、一方の端には駆動側ガイドローラ５５を回転させる駆動力伝達機構部に接続する歯車２８が固定されている。尚、駆動側ガイドローラ５５は、固定側ガイドローラ５０の方向へ付勢するように弾性保持されている。また、駆動側ガイドローラ５５の回転軸５６に固定された歯車２８は、駆動モータに接続し回転力を伝達する伝達機構部に歯合しているので、その回転方向を切り替えることによりＭＤ１５およびＣＤ１６を挿排することができる。
【００３９】
以上説明したように本実施例においても、第１実施例と同じように固定側ガイドローラ５０と駆動側ガイドローラ５５のそれぞれの小径部５３と５８とで構成された空間部６０が、ＭＤ１５の挿入ガイド部となり、ＭＤ１５の挿入位置が確定されるので、所定の位置から外れた位置での誤挿入を防止することができる。また、ＣＤ１６は固定側ガイドローラ５０の大径部５４と駆動側ガイドローラ５５の大径部５９とで搬送することがてきる。従って、ＭＤ１５とＣＤ１６の両方の処理を共通に行う共通処理部を備えたディスク装置に適した挿排機構部となり誤挿入による機器の故障を防止することができる。
【００４０】
次に、本発明の第７実施例を図８を用いて説明する。
図８は本発明の第７実施例のディスク挿排機構部の概略構成図で、（ａ）は正面図、（ｂ）は挿入ガイド板の平面図、（ｃ）は挿入ガイド板の位置関係を示す側面図である。尚、第７実施例は第１実施例と同じ構成部品については同じ符号を付し説明を省略する。
【００４１】
固定側ローラ６５は、駆動側ローラ７０とでＭＤ１５またはＣＤ１６を鋏み付けた状態で駆動側ローラ７０の回転に従動して回転し、所定の位置へ搬送するものである。固定側ローラ６５は回転軸６６と、回転軸６６の外周に形成されたゴムローラ部６７等により構成されている。ゴムローラ部６７は中央部よりそれぞれ外側方向へ向けて増径するようにテーパー部６８が形成されており、ＭＤ１５またはＣＤ１６の外周部が当接するようになっている。尚、回転軸６６の両端は軸受けにより保持されている。
【００４２】
駆動側ローラ７０は、固定側ローラ部６５とでＭＤ１５またはＣＤ１６を鋏み付けた状態で回転し所定の位置へ搬送するものである。駆動側ローラ７０は回転軸７１と、回転軸７１の外周に形成されたゴムローラ部７２等により構成されている。ゴムローラ部７２は中央部より両端方向へ向けて増径するようにテーパー部７３が形成されており、ＭＤ１５またはＣＤ１６の外周部が当接するようになっている。また、回転軸７１の両端は軸受けにより保持されており、一方の端には駆動側ローラ７０を回転させる駆動力伝達機構部に接続する歯車２８が固定されている。尚、駆動側ローラ７０は、固定側ローラ６５の方向へ付勢するように弾性保持されている。また、駆動側ローラ７０の回転軸７１に固定された歯車２８は、駆動モータに接続し回転力を伝達する伝達機構部に歯合しているので、その回転方向を切り替えることによりＭＤ１５およびＣＤ１６を挿排することができる。
【００４３】
７５は挿入ガイド板で、方形の板形状をしており略中央部に、ＭＤ挿入口７６（ＭＤ１５の挿入方向の断面寸法よりやや大きい寸法、即ち縦方向の寸法Ｔを５ミリ以上×横方向の寸法Ｘを７２ミリ以上）と、ＭＤ挿入口７６と中心位置を一致させてＣＤ挿入口７７（ＣＤ１６の挿入方向の断面寸法よりやや大きい寸法、即ち縦方向の寸法Ｙを１．５ミリ以上×横方向の寸法Ｘを１２０ミリ以上）とが形成されている。尚、挿入ガイド板７５は固定側ローラ６５と駆動側ローラ７０とで構成される挿排機構部の前面部に設けられる。
【００４４】
以上説明したように本実施例においても、第１実施例と同じように固定側ローラ６５と駆動側ローラ７０の前面部に挿入ガイド板７５を設けることにより、ＭＤ１５とＣＤ１６との挿入位置が確定されるので、所定の位置から外れた位置での誤挿入を防止することができる。従って、ＭＤ１５とＣＤ１６の両方の処理を共通に行う共通処理部を備えたディスク装置において誤挿入による機器の故障を防止することができる。
【００４５】
尚、以上の実施例ではＭＤおよびＣＤについて説明したが、これに限らずＭＤの代わりにＦＤ（フロッピィディスク）やＭＯ（磁気光ディスク）、ＣＤの代わりにＬＤ（レーザーディスク）やＤＶＤ（デジタルビデオディスク）等に適用してもよい。
【００４６】
【発明の効果】
以上説明したように本発明によれば、種類の異なる複数の記録媒体に対して共通の挿排機構を備えたディスク装置の、挿排機構部の簡略化により構成部品点数の削減等による低コスト化および省スペース化が図れる。
【図面の簡単な説明】
【図１】本発明の第１実施例のディスク挿排機構部の概略構成図で、（ａ）はディスク挿排機構部の位置関係の側面図、（ｂ）は正面図、（ｃ）は側面図である。
【図２】第１実施例のディスク挿排機構部によるディスク搬送状態の概略図で、（ａ）はＭＤ搬送状態の正面図、（ｂ）はＣＤ搬送状態の正面図である。
【図３】本発明の第２実施例のディスク挿排機構部の概略構成を示す正面図である。
【図４】本発明の第３実施例のディスク挿排機構部の概略構成図で、（ａ）は正面図、（ｂ）は平面図、（ｃ）は板ばねの正面拡大図である。
【図５】本発明の第４実施例のディスク挿排機構部の概略構成を示す正面図である。
【図６】本発明の第５実施例のディスク挿排機構部の概略構成図で、（ａ）は正面図、（ｂ）は側面図である。
【図７】本発明の第６実施例のディスク挿排機構部の概略構成を示す正面図である。
【図８】本発明の第７実施例のディスク挿排機構部の概略構成図で、（ａ）は正面図、（ｂ）は挿入ガイド板の平面図、（ｃ）は挿入ガイド板の位置関係を示す側面図である。
【図９】従来のディスク装置のＭＤ挿排機構部の概略構成図で、（ａ）は正面図、（ｂ）は平面図である。
【図１０】従来のディスク装置のＣＤ挿排機構部の概略構成を示す正面図である。
【符号の説明】
１０・・・・・・・挿排機構部
１１・・・・・・・演奏部
１２・・・・・・・ガイド部
１５・・・・・・・ＭＤ
１６・・・・・・・ＣＤ
２０，３３，８０・固定側ガイド
２１，８１・・・・ガイド溝
２２，３４，８２・当接面
２５，７０・・・・駆動側ローラ
２６，３６，４１，４６，５１，５６，６６，７１・回転軸
２７，３７，４２，４７，５２，５７，６７，７２・ゴムローラ部
２８・・・・・・・・・・歯車
２９，４３・・・・・・・テーパー部
３０・・・・・・・・・・ストッパ
３２，４４，６０・・・・空間部
３８，４８，５３，５８・小径部
３９，４９，５４，５９・大径部
４０，６５・・・・・・・固定側ローラ
３５，４５，５５・・・・駆動側ガイドローラ
５０・・・・・・・・・・固定側ガイドローラ
７５・・・・・・・・・・挿入ガイド板
７６・・・・・・・・・・ＭＤ挿入口
７７・・・・・・・・・・ＣＤ挿入口
８３・・・・・・・・・・板ばね
８４・・・・・・・・・・シャッター開閉部
【図１】
0004162755.tif 000002
【図２】
0004162755.tif 000003
【図３】
0004162755.tif 000004
【図４】
0004162755.tif 000005
【図５】
0004162755.tif 000006
【図６】
0004162755.tif 000007
【図７】
0004162755.tif 000008
【図８】
0004162755.tif 000009
【図９】
0004162755.tif 000010
【図１０】
0004162755.tif 000011